(57)【要約】【課題】投射された画像における注目対象の見やすさを考慮したズーム制御を行う。【解決手段】画像解析部１０５は、画像データが投射された領域のサイズと前記領域における注目対象の見やすさとを計測する。倍率算出部１０７は、計測された領域のサイズ及び注目対象の見やすさと、上記領域と聴衆者間の距離に対応する領域のサイズ及び注目対象の見やすさとに基づいて、光学ズームの倍率とデジタルズームの倍率とを算出する。デジタルズーム制御部１０８及び光学ズーム制御部１０９は、光学ズームの倍率に基づいて、領域に対して光学ズームを行うとともに、デジタルズームの倍率に基づいて、画像データに対してデジタルズームを行う。【選択図】図１
2014066906.tif 000002
【特許請求の範囲】
【請求項１】
画像データが投射された領域のサイズと前記領域における注目対象の見やすさとを計測する計測手段と、
前記計測手段により計測された前記領域のサイズ及び前記注目対象の見やすさと、前記領域と聴衆者間の距離に対応する前記領域のサイズ及び前記注目対象の見やすさとに基づいて、光学ズームの倍率とデジタルズームの倍率とを算出する算出手段と、
前記光学ズームの倍率に基づいて、前記領域に対して光学ズームを行うとともに、前記デジタルズームの倍率に基づいて、前記画像データに対してデジタルズームを行う制御手段とを有することを特徴とする画像処理装置。
【請求項２】
前記注目対象の見やすさとは、前記領域における文字のサイズであることを特徴とする請求項１に記載の画像処理装置。
【請求項３】
前記領域と前記聴衆者間の距離に対応する前記領域のサイズ及び前記注目対象の見やすさは夫々、所定の数値範囲によって規定され、前記算出手段は、前記領域のサイズ及び前記注目対象の見やすさが夫々、前記所定の数値範囲に含まれるように、前記光学ズームの倍率と前記デジタルズームの倍率とを算出することを特徴とする請求項１又は２に記載の画像処理装置。
【請求項４】
画像処理装置によって実行される画像処理方法であって、
画像データが投射された領域のサイズと前記領域における注目対象の見やすさとを計測する計測ステップと、
前記計測ステップにより計測された前記領域のサイズ及び前記注目対象の見やすさと、前記領域と聴衆者間の距離に対応する前記領域のサイズ及び前記注目対象の見やすさとに基づいて、光学ズームの倍率とデジタルズームの倍率とを算出する算出ステップと、
前記光学ズームの倍率に基づいて、前記領域に対して光学ズームを行うとともに、前記デジタルズームの倍率に基づいて、前記画像データに対してデジタルズームを行う制御ステップとを有することを特徴とする画像処理方法。
【請求項５】
画像データが投射された領域のサイズと前記領域における注目対象の見やすさとを計測する計測ステップと、
前記計測ステップにより計測された前記領域のサイズ及び前記注目対象の見やすさと、前記領域と聴衆者間の距離に対応する前記領域のサイズ及び前記注目対象の見やすさとに基づいて、光学ズームの倍率とデジタルズームの倍率とを算出する算出ステップと、
前記光学ズームの倍率に基づいて、前記領域に対して光学ズームを行うとともに、前記デジタルズームの倍率に基づいて、前記画像データに対してデジタルズームを行う制御ステップとをコンピュータに実行させるためのプログラム。
【発明の詳細な説明】
【技術分野】
【０００１】
本発明は、投影される画像に対する光学ズーム及びデジタルズームを制御する技術に関するものである。
【背景技術】
【０００２】
プロジェクタには、レンズを動かして焦点距離を変化させることにより、スクリーン等に投射される画像データのサイズを変化させる光学ズーム機能と、入力される画像データを処理して画像データのサイズを変化させるデジタルズーム機能とを有するものがある。プロジェクタは、光学ズーム機能とデジタルズーム機能とを組み合わせて画像データのサイズを調整することにより、最適な倍率設定を可能としている。
【０００３】
しかし、上記倍率設定は手動での設定がほとんどであり、操作が煩雑であるという問題がある。これに対し、特許文献１には、一操作で光学ズームとデジタルズームとを一連の動作として行うことが可能な技術が開示されている。
【先行技術文献】
【特許文献】
【０００４】
【特許文献１】特開２００７−１７８７４７号公報
【発明の概要】
【発明が解決しようとする課題】
【０００５】
しかしながら、特許文献１に開示される技術は、光学ズームとデジタルズームとを組み合わせて制御するものの、画面の注目対象の見やすさを考慮して制御するものではない。従って、特許文献１に開示される技術には、例えば、ズーム制御が実施される前は最適だった文字サイズが、ズーム制御が実施された後に必要以上に拡大されてしまい、見やすさが低下してしまうという問題がある。
【０００６】
そこで、本発明の目的は、投射された画像における注目対象の見やすさを考慮したズーム制御を行うことにある。
【課題を解決するための手段】
【０００７】
本発明の画像処理装置は、画像データが投射された領域のサイズと前記領域における注目対象の見やすさとを計測する計測手段と、前記計測手段により計測された前記領域のサイズ及び前記注目対象の見やすさと、前記領域と聴衆者間の距離に対応する前記領域のサイズ及び前記注目対象の見やすさとに基づいて、光学ズームの倍率とデジタルズームの倍率とを算出する算出手段と、前記光学ズームの倍率に基づいて、前記領域に対して光学ズームを行うとともに、前記デジタルズームの倍率に基づいて、前記画像データに対してデジタルズームを行う制御手段とを有することを特徴とする。
【発明の効果】
【０００８】
本発明によれば、投射された画像における注目対象の見やすさを考慮したズーム制御が可能となる。
【図面の簡単な説明】
【０００９】
【図１】本発明の実施形態に係るプロジェクタの構成を示す図である。
【図２】本発明の実施形態の概要を説明するための図である。
【図３】本発明の実施形態に係るプロジェクタのズーム制御処理を示すフローチャートである。
【図４】デジタルズーム及び光学ズームの拡大縮小倍率の算出処理、及び、算出された拡大縮小倍率に基づくデジタルズーム及び光学ズームについて具体的に説明するための図である。
【図５】デジタルズーム及び光学ズームの拡大縮小倍率の算出処理、及び、算出された拡大縮小倍率に基づくデジタルズーム及び光学ズームについて具体的に説明するための図である。
【図６】デジタルズーム及び光学ズームの拡大縮小倍率の算出処理、及び、算出された拡大縮小倍率に基づくデジタルズーム及び光学ズームについて具体的に説明するための図である。
【図７】図３のステップＳ３０３の詳細を示すフローチャートである。
【図８】調整値テーブルの構成例を示す図である。
【発明を実施するための形態】
【００１０】
以下、本発明を適用した好適な実施形態を、添付図面を参照しながら詳細に説明する。但し、本発明の技術的範囲が以下に説明する実施形態に限定されるものではない。
【００１１】
図１は、本発明の実施形態に係るプロジェクタの構成を示す図である。なお、図１においては、プロジェクタの主要部を示しているが、これ以外の構成を備えていても構わない。また、本実施形態に係るプロジェクタは、画像処理装置の適用例となる構成である。
【００１２】
１００は、信号伝送規格に従って画像信号を外部機器等から入力する画像入力部である。１０１は、画像入力部１００から画像信号を入力し、アナログ形式からデジタル形式に変換する等の画像処理を行う画像信号処理部である。１０２は、デジタル形式に変換された画像信号（以下、画像データと称す）を画像信号処理部１０１から入力し、当該画像データに対して、指定された拡大縮小倍率によるデジタルズーム処理を行う制御部である。１１０は、制御部１０２においてデジタルズーム処理が施された画像データを入力して光学的な画像を形成し、不図示の光学系を介して投射する表示パネルである。
【００１３】
１１１は、距離情報を検知するセンサである。１０３は、センサ１１１から出力される距離情報に基づいて、画像が投射された領域（以下、実投射領域と称す）とプロジェクタ間の距離や聴衆者とプロジェクタ間の距離を計測し、その結果を用いて、実投射領域と聴衆者間の距離を算出する位置情報算出部である。１１２は、表示パネル１１０によって投射された画像を撮影するカメラである。
【００１４】
１０４は、カメラ１１２によって撮影された実投射領域２００の画像データと、そのときに倍率算出部１０７によって算出されたデジタルズーム及び光学ズームの拡大縮小倍率とに基づいて、実投射領域２００のサイズを算出する画像認識部である。さらに、画像認識部１０４は、実投射領域２００の注目対象となる画像データを検出する。
【００１５】
１０５は、画像認識部１０４によって検出された実投射領域２００の注目対象となる画像データから、見やすさの指標として実投射領域２００上の文字サイズを検出する画像解析部である。文字サイズの算出方法に関しては、全体の黒画素数／全画素数で算出する手法や、文字解析を行って文字サイズを割り出す手法等があるが、これらの手法に限定されるものではない。
【００１６】
１０６は、実投射領域と聴衆者間の距離に対する、最適な実投射領域のサイズと最適な文字サイズとを一元管理した調整値テーブルを保持する表示サイズ管理部である。１０７は、現在の投射状態が、最適な実投射領域のサイズであるか、最適な文字サイズであるか否かを判定し、最適な投射状態となるよう、デジタルズーム及び光学ズームの拡大縮小倍率を算出する倍率算出部である。即ち、倍率算出部１０７は、位置情報算出部１０３によって算出された実投射領域と聴衆者間の距離と、画像認識部１０４によって算出された実投射領域のサイズと、画像解析部１０５によって算出された文字サイズとが、表示サイズ管理部１０６によって管理される調整値テーブルで規定される最適なサイズの範囲内にあるか否かを判定する。そして、その最適なサイズの範囲を外れていた場合、倍率算出部１０７は、実投射領域のサイズと文字サイズとが最適なサイズとなるように、デジタルズーム及び光学ズームの拡大縮小倍率を算出する。
【００１７】
１０８は、倍率算出部１０７にて算出されたデジタルズームの拡大縮小倍率を入力し、制御部１０２に対してデジタルズームを制御するとともに、デジタルズームの拡大縮小倍率を管理するデジタルズーム制御部である。
【００１８】
１０９は、倍率算出部１０７にて算出された光学ズームの拡大縮小倍率を入力し、ズームレンズを光軸方向に移動させて焦点距離を変更させることにより、光学ズームを制御するとともに、光学ズームの拡大縮小倍率を管理する光学ズーム制御部である。なお、本実施形態では、注目対象の見やすさを文字サイズで判断することとしたが、その他の情報を用いて注目対象の見やすさを判断しても構わない。
【００１９】
次に、図２を参照しながら、本実施形態の概要について説明する。図２において、２００は画像が投射された領域である実投射領域である。２０１はプロジェクタである。２０２は聴衆者である。２０３は実投射領域２００とプロジェクタ２０１間の距離ｄ１である。２０４はプロジェクタ２０１と聴衆者２０２間の距離ｄ２である。２０５は実投射領域２００と聴衆者２０２間の距離ｄ３である。２０６は、聴衆者２０２から見て適切な最大の実投射領域のサイズである。２０７は、聴衆者２０２から見て適切な最小の実投射領域のサイズである。
【００２０】
ここで、実投射領域２００のサイズをＳとし、最大の実投射領域のサイズ２０６をＳｍａｘとし、最小の実投射領域のサイズ２０７をＳｍｉｎとする。ＳがＳｍａｘとＳｍｉｎ間に存在する場合（Ｓｍａｘ≧Ｓ≧Ｓｍｉｎである場合）、実投射領域が聴衆者２０２にとって見やすい最適なサイズであると判定される。
【００２１】
次に、図３を参照しながら、本実施形態に係るプロジェクタのズーム制御処理について説明する。なお、図３に示す処理は、プロジェクタ内の不図示のＣＰＵがＲＯＭ等の記録媒体から必要なプログラムやデータを読み出して実行することにより実現する処理である。
【００２２】
ステップＳ３００において、位置情報算出部１０３は、実投射領域２００と聴衆者２０２間の距離ｄ３を計測する。ここでは、実投射領域２００と聴衆者２０２間の距離ｄ３の計測手法として、実投射領域２００とプロジェクタ２０１間の距離ｄ１と、プロジェクタ２０１と聴衆者２０２間の距離ｄ２とに基づいて算出するものとする。これ以外に、実投射領域２００と聴衆者間の距離ｄ３の計測方法として、例えば特開２００８−２０３４９１号公報に開示される方法を用いてもよい。
【００２３】
ステップＳ３０１において、画像認識部１０４は、実投射領域２００のサイズＳを計測する。ステップＳ３０２において、画像解析部１０５は、投射された画像の見やすさを判定するために文字サイズを算出する。ステップＳ３０３において、倍率算出部１０７は、デジタルズーム及び光学ズームの拡大縮小倍率を算出する。デジタルズーム制御部１０８及び光学ズーム制御部１０９は夫々、倍率算出部１０７によって算出された拡大縮小倍率に従って、デジタルズーム及び光学ズームを制御する。
【００２４】
ここで、図４〜図６を参照しながら、デジタルズーム及び光学ズームの拡大縮小倍率の算出処理、及び、算出された拡大縮小倍率に基づくデジタルズーム及び光学ズームの制御処理について具体的に説明する。なお、図４〜図６において、図２と同一の構成については同一の符号が付してある。
【００２５】
図４は、処理開始時において、実投射領域のサイズＳが最大の実投射領域のサイズＳｍａｘより大きい状態にある場合の処理の流れを示す図である。
【００２６】
図４において、状態４００は、処理開始時において、実投射領域２００のサイズＳが最大の実投射領域のサイズＳｍａｘより大きい場合、即ち、Ｓ＞Ｓｍａｘである状態を示している。状態４０１は、状態４００において光学ズームで実投射領域２００の縮小が可能である場合に、状態４００から光学ズームで実投射領域２００を縮小し、Ｓｍａｘ≧Ｓ≧Ｓｍｉｎとした状態である。状態４０２は、状態４００において光学ズームで実投射領域２００の縮小ができない場合、即ち、光学ズームの縮小処理が限界である場合に移行する状態である。状態４０２のうちの状態４０３は、文字サイズが小さいと判断された場合に、文字サイズが最適になるまでデジタルズームで画像データを拡大した状態である。状態４０２のうちの状態４０４は、文字サイズが大きいと判断された場合に、文字サイズが最適になるまでデジタルズームで画像データを縮小した状態である。なお、状態４０４は、デジタルズームで画像データを縮小した状態であるため、投射画角は変化せず、文字サイズが最適になるように表示された状態である。さらに、状態４０２のうちの状態４０５は、文字サイズが最適と判断された状態であり、デジタルズームしていない状態である。
【００２７】
次に、状態４０６について説明する。状態４０６は、実投射領域２００のサイズＳを光学ズームで縮小した状態４０１から、文字サイズに応じて画像データをデジタルズームした状態である。状態４０７は、状態４０１にて文字サイズが小さいと判断された場合に、文字サイズが最適になるまでデジタルズームで画像データを拡大した状態である。状態４０８は、状態４０１にて文字サイズが大きいと判断された場合に、文字サイズが最適になるまでデジタルズームで画像データを縮小した状態である。この場合、必ずしもＳｍａｘ≧Ｓとなるとは限らない。状態４０９は、文字サイズが最適と判断された状態であり、デジタルズームしていない状態である。
【００２８】
図５は、処理開始時において、実投射領域２００のサイズＳが最小の実投射領域のサイズＳｍｉｎより小さい状態にある場合の処理の流れを示す図である。
【００２９】
図５において、状態５００は、処理開始時において、実投射領域２００のサイズＳが最小の実投射領域のサイズＳｍｉｎより小さい場合、即ち、Ｓｍｉｎ＞Ｓである状態を示している。状態５０１は、状態５００において光学ズームで拡大が可能である場合に、状態５００から光学ズームで実投射領域２００を拡大し、Ｓｍａｘ≧Ｓ≧Ｓｍｉnとした状態である。状態５０２は、状態５００において光学ズームで実投射領域２００を拡大することができない場合、即ち、光学ズームの拡大処理が限界である場合に移行する状態である。状態５０２のうちの状態５０３は、文字サイズが小さいと判断された場合に、文字サイズが最適になるまでデジタルズームで画像データを拡大した状態である。状態５０２のうちの状態５０４は、文字サイズが大きいと判断された場合に、文字サイズが最適になるまでデジタルズームで画像データを縮小した状態である。状態５０２のうちの状態５０５は、文字サイズが最適と判断された状態であり、デジタルズームしていない状態である。
【００３０】
次に、状態５０６について説明する。状態５０６は、光学ズームで実投射領域２００を拡大した状態５０１から、文字サイズに応じて画像データをデジタルズームした状態である。状態５０７は、状態５０１にて文字サイズが小さいと判断された場合に、文字サイズが最適になるまでデジタルズームにて画像データを拡大した状態である。状態５０８は、状態５０１にて文字サイズが大きいと判断された場合に、文字サイズが最適になるまでデジタルズームで画像データを縮小した状態である。この場合、必ずしもＳ≧Ｓｍｉｎとなるとは限らない。状態５０９は、文字サイズが最適と判断された場合で、デジタルズームしていない状態である。
【００３１】
図６は、処理開始時において、実投射領域２００のサイズＳが最大の実投射領域のサイズＳｍａｘ以下であり、且つ、最小の実投射領域のサイズＳｍｉｎ以上である場合の処理の流れを示す図である。
【００３２】
図６において、状態６００は、処理開始時において、実投射領域２００のサイズＳが最大の実投射領域のサイズＳｍａｘ以下であり、且つ、最小の実投射領域のサイズＳｍｉｎ以上である状態（Ｓｍａｘ≧Ｓ≧Ｓｍｉｎ）を示している。状態６０１は、Ｓｍａｘ≧Ｓ≧Ｓｍｉｎである場合に移行する状態である。状態６０１のうちの状態６０２は、状態６００にて文字サイズが小さいと判断された場合に、文字サイズが最適になるまでデジタルズームで画像データを拡大した状態である。状態６０１のうちの状態６０３は、状態６００にて文字サイズが大きいと判断された場合に、文字サイズが最適になるまでデジタルズームで画像データを縮小した状態である。この場合、必ずしもＳ≧Ｓｍｉｎとなるとは限らない。状態６０４は、文字サイズが最適と判断された場合であり、デジタルズームしていない状態である。
【００３３】
次に、図７を参照しながら、図３のステップＳ３０３における、デジタルズーム及び光学ズームの拡大縮小倍率の算出処理、及び、算出された拡大縮小倍率に基づくデジタルズーム及び光学ズームについて詳細に説明する。
【００３４】
ステップＳ７００において、倍率算出部１０７は、表示サイズ管理部１０６から調整値テーブルを読み出す。図８は、表示サイズ管理部１０６において管理される調整値テーブルの一例を示す図である。図８に示すように、調整値テーブルは、最適な実投射領域のサイズ及び最適な文字サイズの数値範囲を、スクリーンと聴衆者の間の距離ｄ３と対応付けて管理したテーブルである。
【００３５】
図８において、８００は、調整値テーブルにおけるレコードＮｏである。８０１は、実投射領域と聴衆者間の距離ｄ３である。８０２は、最大及び最小の実投射領域のサイズ（Ｓｍａｘ、Ｓｍｉｎ）であり、実投射領域のサイズＳが最大の実投射領域のサイズＳｍａｘ以下であって、且つ最小の実投射領域のサイズＳｍｉｎ以上である場合、最適な実投射領域のサイズと判定される。８０３は、最大及び最小の文字サイズ（Ｍａｘ、Ｍｉｎ）であり、文字サイズが最大の文字サイズＭａｘ以下であって、且つ最小の文字サイズＭｉｎ以上である場合、最適な文字サイズと判定される。本実施形態においては、実投射領域の聴衆者間の距離ｄ３をキーに図８に示す調整値テーブルを参照することにより、最適な実投射領域２００のサイズ及び最適な文字サイズを取得することができる。なお、図８において、最大及び最小の実投射領域のサイズ（Ｓｍａｘ、Ｓｍｉｎ）８０２は、縦：横の大きさを単位メートル（ｍ）で示している。また、最大及び最小の文字サイズ８０３は、文字のフォントサイズで示したものになる。本実施形態では、上述したような値を用いたが、この値に限定されるものではない。
【００３６】
次に、図８について具体的に説明する。図８において、実投射領域と聴衆者の間の距離ｄ３が２．０（ｍ）である場合、レコードＮｏ４が該当する。この場合、図８に示すように、最大の実投射領域のサイズＳｍａｘは、縦が２．０（ｍ）、横が２．４（ｍ）となり、最小の実投射領域のサイズＳｍｉｎは、縦が１．０（ｍ）、横が１．５（ｍ）となる。この場合、実投射領域のサイズＳが、縦が２．０（ｍ）及び横が２．４（ｍ）以下のサイズであり、且つ、縦が１．０（ｍ）及び横が１．５（ｍ）以上のサイズであれば、最適な画角で投射された画像であると判定される。また、最適な文字サイズは、図８に示すように、最大の文字サイズが６０であり、最小の文字サイズが２５となる。この場合、画像解析部１０５にて解析された文字サイズが６０以上であり、且つ２５以下である場合、最適な文字サイズと判定される。
【００３７】
ステップＳ７０１において、倍率算出部１０７は、ステップＳ７００で読み出した調整値テーブルを用いて、実投射領域のサイズＳが最適であるか否か、即ち、実投射領域のサイズＳが最大の実投射領域のサイズＳｍａｘ以上であり、且つ、最小の実投射領域のサイズ以下Ｓｍｉｎであるか否かを判定する。即ち、倍率算出部１０７は、ステップＳ３０２にて計測した実投射領域と聴衆者間の距離ｄ３について、ステップＳ７００で読み出した調整値テーブルを参照し、図３のステップＳ３００にて計測された実投射領域のサイズＳが最適なサイズであるか否かを判定する。
【００３８】
実投射領域のサイズＳが調整値テーブルに規定される最大の実投射領域のサイズＳｍａｘより大きい場合、即ち、Ｓ＞Ｓｍａxである場合、処理はステップＳ７０２に移行する。これは、図４の状態４００に対応している。また、実投射領域のサイズＳが最小の実投射領域のサイズＳｍｉｎよりも小さい場合、即ち、Ｓｍｉｎ＞Ｓである場合、処理はステップＳ７０６に移行する。これは、図５の状態５００に対応している。また、実投射領域のサイズＳが調整値テーブルに規定される最大の実投射領域のサイズＳｍａｘ以下であって、且つ最小の実投射領域のサイズＳｍｉｎ以上である場合、処理はステップＳ７１１に移行する。これは、図６の状態６００に対応している。
【００３９】
ステップＳ７０２において、倍率算出部１０７は、図１における光学ズーム制御部１０９から光学ズームの現在の拡大縮小倍率を取得し、光学ズームで縮小が可能であるか否かを判定する。光学ズームで縮小が可能である場合、処理はステップＳ７０３に移行する。一方、光学ズームで縮小ができない場合、処理はステップＳ７０７に移行する。なお、ステップＳ７０２は、図４の状態４０１に対応している。ステップＳ７０３において、光学ズーム制御部１０９は、実投射領域のサイズＳが最適なサイズ（図８の調整値テーブルに規定される最大の実投射領域のサイズＳｍａｘ以下であって、且つ、最小の実投射領域のサイズＳｍｉｎ以上）となるように、実投射領域を光学ズームで縮小する。
【００４０】
ステップＳ７０４において、倍率算出部１０７は、ステップＳ７０３での光学ズーム縮小処理によって文字サイズが最適なサイズ（図８の調整値テーブルに規定される最大の文字サイズ以下であって、且つ、最小の文字サイズ以上）となったか否かを判定する。文字サイズが最適なサイズとなった場合、処理は終了する。一方、文字サイズが最適なサイズとなっていない場合、処理はステップＳ７０５に移行する。ここで、文字サイズが最適なサイズである場合、図４の状態４０９に対応している。一方、文字サイズが最適なサイズではない場合、図４の状態４０７又は状態４０８に対応している。より具体的には、文字サイズが最適なサイズより小さい場合、図４の状態４０７に対応しており、一方、文字サイズが最適なサイズより大きい場合、図４の状態４０８に対応している。ステップＳ７０５において、デジタルズーム制御部１０８は、文字サイズが図８の調整値テーブルに規定される最適なサイズ（最大の文字サイズ以下であって、且つ最小の文字サイズ以上）になるまで画像データのデジタルズームを行う。
【００４１】
次に、ステップＳ７０６からの処理について説明する。上述したとおり、ステップＳ７０６は、ステップＳ７０１にて、実投射領域のサイズＳが調整値テーブルに規定される最小の実投射領域のサイズＳｍｉｎより小さい場合、即ち、Ｓｍｉｎ＞Ｓである場合に開始される処理である。
【００４２】
ステップＳ７０６において、倍率算出部１０７は、光学ズーム制御部１０９から光学ズームの現在の拡大縮小倍率を取得し、光学ズームで拡大が可能であるか否かを判定する。光学ズームで拡大が可能である場合、処理はステップＳ７０８に移行する。一方、光学ズームで拡大ができない場合、処理はステップＳ７０７に移行する。
【００４３】
ここで、ステップＳ７０７は、ステップＳ７０２又はステップＳ７０６にて光学ズームが不可であると判定された場合に移行する処理である。ステップＳ７０２から移行した場合のステップＳ７０７は、図４の状態４０２に対応している。より具体的には、文字サイズが小さい場合（図８の調整値テーブルに規定される最小の文字サイズより小さい場合）、図４の状態４０３に対応している。文字サイズが大きい場合（図８の調整値テーブルに規定される最大の文字サイズより大きい場合）、図４の状態４０４に対応している。文字サイズが適切なサイズである場合（図８の調整値テーブルに規定される最大の文字サイズ以下であって、最小の文字サイズ以上である場合）、図４の４０５に対応している。
【００４４】
ステップＳ７０６から以降した場合のステップＳ７０７は、図５の状態５０２に対応している。より具体的には、文字サイズが小さい場合（図８の調整値テーブルに規定される最小の文字サイズより小さい場合）、図５の状態５０３に対応している。文字サイズが大きい場合（図８の調整値テーブルに規定される最大の文字サイズより大きい場合）、図５の状態５０４に対応している。文字サイズが適切である場合（図８の調整値テーブルに規定される最大の文字サイズ以下であって、且つ最小の文字サイズ以上である場合）、図５の状態５０５に対応している。ステップＳ７０７において、デジタルズーム制御部１０８は、ステップＳ７０５と同様、文字サイズが図８の調整値テーブルに規定される最大の文字サイズ以下であって、且つ最小の文字サイズ以上となるように画像データのデジタルズームを行う。
【００４５】
ステップＳ７０８は、ステップＳ７０６にて光学ズームが可能であると判定された場合に移行するステップである。これは、図５の状態５０１に対応している。ステップＳ７０８において、光学ズーム制御部１０９は、光学ズーム拡大処理を行う。具体的には、光学ズーム制御部１０９は、実投射領域のサイズＳが最適なサイズ（図８の調整値テーブルに規定される最大の実投射領域のサイズ以下であって、且つ、最小の実投射領域のサイズ以上のサイズ）となるように実投射領域を光学ズームで拡大する。
【００４６】
ステップＳ７０９において、倍率算出部１０７は、ステップＳ７０８での光学ズーム拡大処理によって文字サイズが最適なサイズ（図８の調整値テーブルに規定される最大の文字サイズ以下であって、且つ最小の文字サイズ以上）となったか否かを判定する。文字サイズが最適なサイズとなった場合、処理は終了する。一方、文字サイズが最適なサイズとなっていない場合、処理はステップＳ７１０に移行する。なお、文字サイズが最適なサイズとなった場合、図５の状態５０９に対応している。一方、文字サイズが最適なサイズとなっていない場合、処理はステップＳ７１０に移行する。なお、文字サイズが最適なサイズとなっていない場合、図５の５０７又は５０８に対応している。
【００４７】
ステップＳ７１０において、デジタルズーム制御部１０８は、文字サイズが最適なサイズ（図８の調整値テーブルに規定される最大の文字サイズ以下であって、且つ、最小も文字サイズ以上のサイズ）になるように画像データのデジタルズームを行う。なお、文字サイズが小さい場合（図８の調整値テーブルに規定される最小の文字サイズ以下である場合）、図５の状態５０７に対応している。また、文字サイズが大きい場合（図８の調整値テーブルに規定される最大の文字サイズ以上である場合）、図５の状態５０８に対応している。デジタルズーム制御部１０８は、文字サイズが最適な文字サイズ（図８の調整値テーブルに規定される最大の文字サイズ以下であって、且つ最小の文字サイズ以上）になるまで画像データのデジタルズームを行う。
【００４８】
次に、ステップＳ７１１からの処理について説明する。上述したとおり、ステップＳ７１１は、ステップＳ７０１にて、実投射領域のサイズＳが図８の調整値テーブルに規定される最大の実投射領域のサイズＳｍａｘ以下であって、且つ、最小の実投射領域のサイズＳｍｉｎ以上、即ち、Ｓｍａｘ≧Ｓ≧Ｓｍｉｎである場合に開始される処理である。
【００４９】
ステップＳ７１１において、倍率算出部１０７は、図８の調整値テーブルを用いて、文字サイズが最適であるか否かを判定する。即ち、倍率算出部１０７は、図３におけるステップＳ３０１にて算出した文字サイズと、ステップＳ３０２にて計測した実投射領域と聴衆者間の距離ｄ３とについて図８の調整値テーブルを参照し、文字サイズが最適なサイズであるか否かを判定する。
【００５０】
文字サイズが最適なサイズではない場合（図８の調整値テーブルで規定される最大の文字サイズより大きいか、最小の文字サイズより小さい場合）、処理はステップＳ７１２に移行する。一方、文字サイズが最適なサイズである場合（図８の調整値テーブルで規定される最大の文字サイズ以下であって、且つ、最小の文字サイズ以上である場合）、処理は終了する。これは、図６の６０４に対応している。
【００５１】
ステップＳ７１２において、デジタルズーム制御部１０８は、ステップＳ７０３及びＳ７０５と同様に、文字サイズが最適なサイズになるように画像データのデジタルズームを行う。なお、ステップＳ７１２は、図６の状態６０１に対応している。さらに、文字サイズが小さい場合は、図６における状態６０２に対応し、文字サイズが大きい場合は、図６における状態６０３に対応している。
【００５２】
以上のように、本実施形態においては、実投射領域と聴衆者間の距離に応じて調整値テーブルに規定される数値範囲に基づいて光学ズーム及びデジタルズームを制御している。これにより、本実施形態によれば、ユーザの手を煩わせることなく、実投射領域と注目対象（文字）とを自動で見やすいサイズに調整することが可能となり、注目対象の見やすさを考慮したズーム制御が可能となる。
【００５３】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００５４】
１００：画像入力部、１０１：画像信号処理部、１０２：制御部、１０３：位置情報算出部、１０４：画像認識部、１０５：画像解析部、１０６：表示サイズ管理部、１０７：倍率算出部、１０８：デジタルズーム制御部、１０９：光学ズーム制御部、１１０：表示パネル、１１１：センサ、１１２：カメラ
【図１】
2014066906.tif 000003
【図２】
2014066906.tif 000004
【図３】
2014066906.tif 000005
【図４】
2014066906.tif 000006
【図５】
2014066906.tif 000007
【図６】
2014066906.tif 000008
【図７】
2014066906.tif 000009
【図８】
2014066906.tif 000010